(57)【要約】【課題】製造が容易、かつ、確実で、良好な風防特性及び防水特性を同時に発揮することができ、実用上の利便性が高い防水風防機能付きマイクロホンを提供する。【解決手段】前面に音孔２Ａを開口させたハウジング２に、透音性、かつ、通気性を有するシート状のスクリーン３を音孔２Ａを覆う状態でハウジング２前面に装着することによって風防効果を付与したマイクロホン１であって、スクリーン３には、外面のみに撥水剤４をコーティングしたものを用いた。【選択図】  図１
2004328231.tif 000002
【特許請求の範囲】
【請求項１】
前面に音孔を有するハウジングの前面に、透音性、通気性を有するシート状のスクリーンを前記音孔を覆う状態で装着したマイクロホンであって、
前記スクリーンの外面が撥水剤によってコーティングされたことを特徴とする防水風防機能付きマイクロホン。
【請求項２】
前記撥水剤として、水に対する接触角が１００度以上のものを用いたことを特徴とする請求項１に記載の防水風防機能付きマイクロホン。
【請求項３】
前記撥水剤は、分子量約８０００のＰＴＦＥ粉末を重量分率で５０％以上，フッカビニリデンを１５±１０％，パーフルオロエーテルを５±３％、光触媒性二酸化チタン粒子を０．５±１％混合したものからなることを特徴とする請求項１に記載の防水風防機能付きマイクロホン。
【請求項４】
前面に音孔を有するマイクロホンのハウジングに、前記音孔を覆うような状態で固着して前記マイクロホンに防水風防機能を付与するシート状の防水風防スクリーンであって、
透音性、かつ、通気性を有し、
前記スクリーンの、前記ハウジングとの固着領域を除く外面に撥水剤をコーティングしたことを特徴とする防水風防スクリーン。
【発明の詳細な説明】
【０００１】
【発明の属する技術分野】
本発明は、風防効果、防塵効果ならびに防水効果の優れ、かつ、組み立て等の際の取扱いの容易な防水風防機能付きマイクロホン及びこれに用いる防水風防用スクリーンに関するものである。
【０００２】
【従来の技術】
マイクロホンを屋外で集音する場合など、風がマイクロホンにあたるときには、マイクロホンによって乱流が発生し、いわゆる風切り音が発生して雑音となり、マイクロホン本来の機能、性能が著しく劣化することが知られている。また、マイクロホンを用いて音声の収録等を行う場合においても、呼気が一種の風となり、同様の現象が生ずる。
【０００３】
そこで、これを防止するために、マイクロホンの前面を覆う形で発泡樹脂や、金網、布などのシート状のスクリーンを設け、風がマイクロホン振動板およびその周辺にあたるのを防ぐためのいわゆる風防装置としたものが知られている（マイクロホン前面の音孔を覆うクロスとしては、例えば、特許文献１参照。）。
【０００４】
即ち、従来、このマイクロホン用風防装置は、音響透過特性を維持するために、ウレタンフォーム、布、金網等のシート状のスクリーンによって、外部からマイクロホンに到達する風を緩和し、これによりマイクロホン振動板に直接風が当たることによって発生する雑音を軽減する方法が講じられている。またこの風防装置は、マイクロホン内部に塵埃の侵入を防ぐ防塵機能も兼ねているものである。
【０００５】
さらに、このマイクロホン、とくにコンデンサマイクロホンにあっては、良く知られているとおり、水分によって機能が劣化し、そのため、これを装着した通信機器等は、水没、あるいは冠水などが禁じられている。このような事情から、とくにコンデンサマイクロホンなどには、これを防止する為の手段として、たとえば防水剤を含浸させた布など（防水風防スクリーン）が設けられている。
【０００６】
【特許文献１】
実開昭６４−５２３９７号公報（第３頁、第１図）
【０００７】
【発明が解決しようとする課題】
しかしながら、従来の防水剤は、その効果が充分でないのみならず、その含浸によって接着性能が劣化し、防水風防スクリーンをマイクロホンへ装着するには特別な工法が必要であり、取扱いが極めて煩雑であった。例えば、マイクロホンの風防に使用する防水風防スクリーンとして、不織布に防水剤を含浸させたものを使用して耐水性能を改善することが試みられているが、防水剤の含浸によって接着性能が劣化することが問題となっている。
【０００８】
特に、マイクロホンが組み込まれている携帯型電話機等にあっては、近年、小型化傾向にあるが、従来の固定型の有線電話機と異なり屋外での使用頻度も高く、このためマイクロホンへの冠水などの原因による機能劣化や故障などが頻発しており、マイクロホンの耐水性能の向上が強く要望されている。
【０００９】
本発明は、上記した事情に鑑み、製造が容易、かつ、確実で、良好な風防（音響）特性及び防水特性を同時に発揮することができ、実用上の利便性が高いマイクロホンを提供することを目的とするものである。
また、本発明は、取扱いが極めて容易で、マイクロホンへの取付けも容易、かつ、確実である防水風防用スクリーンを提供することを目的とするものである。
【００１０】
【課題を解決するための手段】
本発明の防水風防機能付きマイクロホンは、前面に音孔を有するハウジングの前面に、透音性、通気性を有するシート状のスクリーンを前記音孔を覆う状態で装着したマイクロホンであって、
前記スクリーンの外面が撥水剤によってコーティングされたことを特徴としている。
【００１１】
これにより、製造が容易、かつ、確実で、良好な風防（音響）特性及び防水特性を同時に発揮することができ、実用上の利便性が高い防水風防機能付きマイクロホンが提供できる。
【００１２】
また、本発明の防水風防機能付きマイクロホンは、前記撥水剤として、水に対する接触角が１００度以上のものを用いたことを特徴としている。
【００１３】
これにより、使用される撥水剤は、その外面端周辺にコーティングされていれば、接触角が１００度以上あるため、平均径が５０ミクロン程度では、水深１メートル程度の圧力では水が浸入することはない。また５０ミクロンの径があれば、スクリーンの厚さが０．２ｍｍ程度以下の場合、透音性には何ら支障のないものが提供できる。
【００１４】
また、本発明の防水風防機能付きマイクロホンは、前記撥水剤として、分子量約８０００のＰＴＦＥ粉末を重量分率で５０％以上，フッカビニリデンを１５±１０％，パーフルオロエーテルを５±３％、光触媒性二酸化チタン粒子を０．５±１％混合したものからなることを特徴としている。
【００１５】
これにより、水に対する接触角が１００°以上のものが形成され、防水効果を持たせることができる。
【００１６】
また、本発明の防水風防スクリーンは、前面に音孔を有するマイクロホンのハウジングに、前記音孔を覆うような状態で固着して前記マイクロホンに防水風防機能を付与するシート状の防水風防スクリーンであって、
透音性、かつ、通気性を有し、
前記スクリーンの、前記ハウジングとの固着領域を除く外面に撥水剤をコーティングしたことを特徴としている。
【００１７】
これにより、取扱いが極めて容易で、マイクロホンへの取付けも容易となる防水風防スクリーンを提供することができる。
【００１８】
【発明の実施の形態】
以下、本発明に係る実施の形態について、添付図面を参照しながら詳細に説明する。
図１は、本発明に係る防水風防用スクリーンを取付けた防水風防機能付きコンデンサマイクロホン１を示すものであり、このコンデンサマイクロホン１には、ハウジング２の前面の音孔２Ａにこれを覆うようにしてシート状の防水風防用スクリーン３を備えているとともに、防水風防用スクリーン３の表面（一方の面）には、撥水剤４（図２参照）をコーティングした構成となっている。
【００１９】
ハウジング２は、金属等の適宜の導電性材料で形成されており、前面中央部には音響波を導入するために前述した音孔が穿設されている一方、ハウジング２の内部には絶縁材料で形成した支持部材２１を固設している。
なお、本実施の形態のハウジング２は、金属等の導電性材料で形成されているが、絶縁材料で形成する場合には、ハウジング２の全体に亘り、メタライズなどの適宜方法で導電性を付与する必要がある。
【００２０】
支持部材２１は、マイクロホン背電極２２をハウジング２に非接触状態で固定・支持するようになっている。一方、このマイクロホン背電極２２には、引出し線２２Ａを介してインピーダンス変換用電気回路用のＩＣ２５が接続されているとともに、このインピーダンス変換用電気回路用のＩＣ２５からは出力端子２２Ｂがハウジング２外部へ引出されている。
【００２１】
また、このハウジング２の内部には、振動板リング２３が取付けられており、この振動板リング２３にはハウジング２に接触状態で設けた図示外の接地電極を有するマイクロホン振動膜２４が固定・支持されている。
【００２２】
防水風防用スクリーン３は、透音性、かつ、通気性を有するものであって、音孔２Ａを覆う状態でハウジング２前面に装着することにより、コンデンサマイクロホン１に対して風防効果とともに防水効果を付与するものである。このため、この防水風防用スクリーン３には、撥水剤４（図２参照）をコーティングした構成となっており、コンデンサマイクロホン１への水分の浸入によって機能が劣化するのを防止するようになっている。
【００２３】
特に、この防水風防用スクリーン３では、外面のみに撥水剤４をコーティングすることにより、換言すれば、ハウジング２への接着面である内面（外面とは反対面）には撥水剤４をコーティングさせないようにすることで、接着性の低下を防止するようになっている。即ち、この防水風防用スクリーン３では、撥水剤４をコーティングされていない方の面に接着剤５（図２参照）を塗布し、これをコンデンサマイクロホン１のハウジング２前面に接着するものである。
【００２４】
なお、この実施形態の防水風防用スクリーン３の形成材料には、通気性の有る布や不織布（平均空隙径５０μｍ、厚さ０．１ｍｍ）などの透音性構成材料を用い、エポキシ系の接着剤５でハウジング２に貼り付けてあり、これにより約１０μｍの塗布厚で撥水コーティング膜４１が形成されている。また、この防水風防用スクリーン３には、本実施の形態の布や不織布以外にも、透音性、かつ、通気性を有するシート状の材料であって、撥水剤４を成膜し易い適宜の材料を使用してもよい。
【００２５】
次に、本発明の一実施形態に係る防水風防機能付きコンデンサマイクロホン１に用いる防水風防用スクリーン３について、図２を参照しながら詳細に説明する。
この防水風防用スクリーン３は、横糸３１及び縦糸３２で布の基材を構成しており、これら横糸３１と縦糸３２との間には隙間、すなわち通気部３３が形成されている。
【００２６】
特に、この防水風防用スクリーン３において、コンデンサマイクロホン１のハウジング２の前面と固着する内面（図２において下面３Ｄ）とは反対の外面（図２において上面３Ｕ）には、前述したように、撥水剤４（図２参照）をコーティングしている。なお、この撥水剤４は、外面のみにコーティングされるものであり、一部は通気部３３にも浸入しているが、要は反対面である内面に塗布されなければよい。
【００２７】
また、本実施形態では、防水風防用スクリーン３に撥水剤４を塗布してから、この塗布面とは反対面に接着剤５を塗布し、コンデンサマイクロホン１のハウジング２前面に接着させているが、初めにコンデンサマイクロホン１のハウジング２前面に防水風防用スクリーン３を接着させ、その後、この防水風防用スクリーン３の表面（外面）に撥水剤４を塗布する構成としてもよい。
【００２８】
撥水剤４には、分子量約８０００のＰＴＦＥ（Ｐｏｌｙ  Ｔｅｔｒａ  Ｆｌｕｏｒｏ  Ｅｔｈｙｌｅｎｅ：ポリテトラフルオロエチレン）粉末を重量分率で５０％以上、フッカビニリデンを１５±１０％，パーフルオロエーテルを５±３％、光触媒性二酸化チタン粒子を０．５±１％混合したものを酢酸ブチルで希釈し、ボールミル等で攪拌したもの等であって、水に対する接触角が１００度以上のものが好ましい。また、この撥水剤４のコーティングの方法は、たとえばスプレーなどによるのが比較的容易であるが、当業者により適宜選択可能であり、特に限定されるものではない。
【００２９】
なお、本発明に使用される撥水剤４は、接触角が１００度以上あるため、通気部３３の平均径が５０ミクロン程度では、その外面端周辺にコーティングされていれば、水深１メートル程度の圧力が作用しても、この防水風防用スクリーン３の通気部３３から水が浸入することはない。また、通気部３３が５０ミクロンの径を有する場合、厚さが０．２ｍｍ程度以下であれば、透音性には何ら支障はない。
【００３０】
以上、前述したように、本発明に使用する防水風防用スクリーン３は、透音性を有するものであり、本実施の形態では、基材として布あるいは不織布を用いている。また、そのスクリーン３の大きさは、音孔２Ａより大であることは勿論であるが、図１に示すように、コンデンサマイクロホン１のハウジング２前面の大きさと略同一でもよいし、これより小さくてもよい。
【００３１】
本実施形態では、防水風防用スクリーン３に接着剤を塗布してハウジング２に装着する際、この装着に先立って防水風防用スクリーン３の片面に撥水剤４を用いてコーティングするようになっている。この撥水剤４には、前述したように、分子量約８０００のＰＴＦＥ粉末を重量分率で５０％以上、フッカビニリデンを１５±１０％，パーフルオロエーテルを５±３％、光触媒性二酸化チタン粒子を０．５±１％混合したものを酢酸ブチルで希釈し、ボールミル等で攪拌したもの等、水に対する接触角が１００度以上のものを用いている。
【００３２】
従って、本実施の形態によれば、防水風防用スクリーン３として、通気性の有る布や不織布などのシート状のスクリーン材を主たる構成材料とし、その片面に撥水剤４をコーティングし、もう片面はコーティングしていないものを用いており、撥水剤４のコーティングされている面を外側にし、コーティングされていない面に接着剤５を塗布して、コンデンサマイクロホン１のハウジング２に確実に装着することができるものである。
これにより、
防水風防用スクリーン３は、（１）取扱いが容易で、（２）コンデンサマイクロホン１への取付けも容易、かつ、確実であるとともに、
この防水風防用スクリーン３を用いて製造する防水風防兼防塵機能付きコンデンサマイクロホン１は、防水風防用スクリーン３の接着性が向上するので、その分、製造が容易、かつ、確実となる。
【００３３】
次に、コンデンサマイクロホン１のハウジング２において、表面（前面）が撥水コーティングされている不職布のスクリーン３を、音孔２Ａが開口された前面に音孔２Ａを覆うように固着して風防として設けた、図１に示すようなコンデンサマイクロホン１を用意し、以下のような実験を行った。
即ち、このコンデンサマイクロホン１を水深１メートルの水中に浸けて３０分保持し、その後、４時間自然乾燥させた。このように水没させたコンデンサマイクロホン１について、特性、特に防水風防機能について詳細に確認実験を行った。
その結果、この防水風防機能について何らの変化もなく、本発明の有効性、つまり良好な風防特性及び防水特性を同時に発揮できることが確認された。
【００３４】
【発明の効果】
以上説明してきたように、本発明は、前面に音孔を開口させたハウジングに、透音性、かつ、通気性を有するスクリーンを音孔を覆う状態でハウジング前面に装着することによって風防効果を付与したマイクロホンであって、スクリーンは、外面のみに撥水剤をコーティングしたものを用いた。
【００３５】
従って、本発明によれば、製造が容易、かつ、確実で、良好な風防特性及び防水特性を同時に発揮することができ、実用上の利便性が高い防水風防機能付きマイクロホンが提供できる。
【図面の簡単な説明】
【図１】本発明の一実施の形態に係る防水風防用スクリーンを取付けた防水風防機能付きコンデンサマイクロホンを示す概略断面図である。
【図２】図１に示す本発明の防水風防機能付きコンデンサマイクロホンにおける防水風防用スクリーンを示す要部断面図である。
【符号の説明】
１      コンデンサマイクロホン
２      ハウジング
２Ａ    音孔
２１    支持部材
２２    マイクロ背電極
２２Ｂ  出力端子
２３    振動板リング
２４    マイクロホン振動膜
２５    インピーダンス変換用電気回路用のＩＣ
３      防水風防用スクリーン
３Ｄ    内面（図２において下面）
３Ｕ    外面（図２において上面）
３１    横糸（布の基材）
３２    縦糸（布の基材）
３３    通気部（隙間）
４      撥水剤
４１    撥水コーティング膜
５      接着剤
【図１】
2004328231.tif 000003
【図２】
2004328231.tif 000004